(57)【要約】【課題】  カメラの撮影モードを標準モードと接写モードとの間で切り換えるときの操作感を同一にすることが出来るカメラ付き携帯電子機器を提供する。【解決手段】  本発明に係るカメラ付き携帯電子機器は、カメラモジュール３を保持するカメラホルダ４と、該カメラホルダ４にスライド可能に支持された切換レバー５とを具え、カメラモジュール３は、ＣＣＤを具えたカメラ本体と、レンズホルダと、レンズホルダとカメラ本体との間隔を調整する調整リングと、レンズホルダを調整リングに向けて付勢するコイルバネとを具え、該調整リングに切換レバー５が連結されている。切換レバー５とカメラホルダ４との対向部にはカム面80とカムフォロワー86からなるカム機構８が設けられ、該カム面80には、緩斜面部84及び急斜面部85を有する凸部82が形成されている。【選択図】      図１８
2006133450.tif 000002
【特許請求の範囲】
【請求項１】
筐体内にカメラアセンブリ(13)が配備され、該カメラアセンブリ(13)は、光学部品を第１位置と第２位置の間で往復移動させて焦点を切り換える焦点切換え装置を具え、該焦点切換え装置は、前記光学部品を往復移動させる往復移動機構と、前記光学部品を第１位置から第２位置へ向けて移動させる方向に前記往復移動機構を付勢する付勢部材と、前記光学部品を第１位置と第２位置の間で往復移動させる際に操作すべき操作部材とを具えているカメラ付き携帯型電子機器において、前記焦点切換え装置には、前記操作部材の操作に抵抗を与えるための抵抗付与機構が連繋し、該抵抗付与機構は、光学部品の第１位置から第２位置への移動過程でその逆方向の移動過程よりも大きな抵抗を操作部材の操作に付与することを特徴とするカメラ付き携帯型電子機器。
【請求項２】
前記抵抗付与機構はカム機構によって構成され、該カム機構は、前記光学部品を第１位置と第２位置の間で移動させるための操作部材の移動に伴ってカム曲線が変化するものである請求項１に記載のカメラ付き携帯型電子機器。
【請求項３】
前記カム機構は、前記光学部品を第１位置から第２位置へ移動させるための操作部材の移動に伴ってカム曲線が上昇し、前記光学部品を第２位置から第１位置へ移動させるための操作部材の移動に伴ってカム曲線が下降するものである請求項２に記載のカメラ付き携帯型電子機器。
【請求項４】
前記カム機構は、前記光学部品を第１位置から第２位置へ移動させるための操作部材の移動に伴ってカム曲線が急な傾斜で上昇し、前記光学部品を第２位置から第１位置へ移動させるための操作部材の移動に伴ってカム曲線が緩やかな傾斜で上昇するものである請求項２に記載のカメラ付き携帯型電子機器。
【請求項５】
前記カム機構は、前記焦点切換え装置の操作部材に形成したカムフォロワーと、該カムフォロワーが摺接するカム面とを具え、該カム面は、第１平坦部(81)と、第２平坦部(83)と、第１平坦部(81)と第２平坦部(83)の間に形成された凸部(82)とを有し、該凸部(82)には、前記第１平坦部(81)から該凸部(82)の頂部に至る緩斜面部(84)と、該凸部(82)の頂部から前記第２平坦部(83)に至る急斜面部(85)とが形成されて、前記光学部品を第１位置から第２位置に移動させる過程で、前記カム機構のカムフォロワーは、前記第２平坦部(83)から第１平坦部(81)に向けてカム面を摺動して前記凸部(82)を乗り越え、前記光学部品を第２位置から第１位置に移動させる過程で、前記カム機構のカムフォロワーは、前記第１平坦部(81)から第２平坦部(83)に向けてカム面を摺動して前記凸部(82)を乗り越える請求項４に記載のカメラ付き携帯型電子機器。
【請求項６】
前記カメラアセンブリ(13)は、前記筐体内に設置されて前記焦点切換え装置の操作部材をスライド可能に支持する支持部材を具え、前記抵抗付与機構を構成するカム機構は、前記焦点切換え装置の操作部材と前記支持部材との対向部に設けられている請求項２乃至請求項５の何れかに記載のカメラ付き携帯型電子機器。
【請求項７】
前記カメラアセンブリ(13)は、撮像素子を具えたカメラ本体(38)と、光学部品を保持するレンズホルダ(31)と、カメラ本体(38)とレンズホルダ(31)との間で回動可能に挟持されて両者の間隔を調整する調整リング(61)と、該調整リング(61)に向けてレンズホルダ(31)を付勢するコイルバネ(60)と、前記調整リング(61)に連結した切換レバー(５)とを具え、前記調整リング(61)と前記レンズホルダ(31)との対向部にはカム機構が設けられ、該カム機構によって前記焦点切換え装置の往復移動機構が構成され、前記コイルバネ(60)によって前記焦点切換え装置の付勢部材が構成され、前記切換レバー(５)によって前記焦点切換え装置の操作部材が構成されている請求項１乃至請求項６の何れかに記載のカメラ付き携帯型電子機器。
【発明の詳細な説明】
【技術分野】
【０００１】
本発明は、焦点切換え装置を具えたカメラ付き携帯電話機等のカメラ付き携帯型電子機器に関するものである。
【背景技術】
【０００２】
従来、カメラ付き携帯電話機においては、標準モードによる撮影の他に、接写モードによる撮影、即ちマクロ撮影の機能を有するものが普及している。
この様なマクロ撮影機能を有するカメラ付き携帯電話機において、カメラ部は、ＣＣＤ及び該ＣＣＤを駆動するための回路基板を有するカメラ本体と、レンズと、該レンズを光軸方向に往復移動させて焦点を切り換える焦点切換え装置とから構成される(特許文献１参照)。
【０００３】
図７及び図８は本発明の焦点切換え装置を示しているが、従来の焦点切換え装置の構成と同じであるので、これらの図を用いて従来の焦点切換え装置の構成を説明する。
図７に示す如く、従来のカメラ付き携帯電話機は、ＣＣＤ(39)を具えたカメラ本体(38)と、該カメラ本体(38)上でレンズを保持するレンズホルダ(31)と、該レンズホルダ(31)とカメラ本体(38)との間に挟持されて両者の間で回動可能な調整リング(61)と、レンズホルダ(31)を調整リング(61)に向けて付勢するコイルバネ(60)とを具えている。調整リング(61)の一端(64)には、携帯電話機の筐体から外部に露出する切換レバー(図示省略)が連結されている。
更に、図８に示す如く、調整リング(61)とレンズホルダ(31)との対向部にはカム機構(６)が設けられており、焦点切換え装置は、調整リング(61)、カム機構(６)、コイルバネ(60)及び、切換レバーから構成される。
図７に示す焦点切換え装置によれば、前記切換レバーを操作することにより、調整リング(61)が回動し、これに伴って、調整リング(61)の表面に形成されたカムフォロワー(62)が、レンズホルダ(31)の裏面に形成されたカム面(66)を摺動して、レンズホルダ(31)をＣＣＤ(39)に接近させ、或いは離間させる。
この様にして、ＣＣＤ(39)に接近した標準位置とＣＣＤ(39)から離間した接写位置との間で焦点の切り換えが可能となっている。
【特許文献１】特開２００４−１６３８３０号公報  [G02B 7/105]
【発明の開示】
【発明が解決しようとする課題】
【０００４】
しかしながら、上記従来のカメラ付き携帯電話機においては、レンズホルダ(31)が、コイルバネ(60)により接写位置から標準位置に向けて付勢されているため、コイルバネ(60)の付勢力に抗してレンズホルダ(31)を前記標準位置から接写位置に移動させる過程でユーザが感じる負荷(操作感)と、コイルバネ(60)の付勢力を受けながらレンズホルダ(31)を前記接写位置から標準位置に移動させる過程でユーザが感じる負荷(操作感)との間に差異が生じ、これによってユーザが違和感を感じることがあった。
そこで、本発明の目的は、撮影モードを標準モードから接写モードへ切り換える際の操作感と、接写モードから標準モードへ切り換える際の操作感とを同等にすることが出来、ユーザが違和感を感じることのないカメラ付き携帯電子機器を提供することである。
【課題を解決するための手段】
【０００５】
本発明に係わるカメラ付き携帯型電子機器は、筐体内にカメラアセンブリ(13)が配備され、該カメラアセンブリ(13)は、光学部品を第１位置と第２位置の間で往復移動させて焦点を切り換える焦点切換え装置を具え、該焦点切換え装置は、前記光学部品を往復移動させる往復移動機構と、前記光学部品を第１位置から第２位置へ向けて移動させる方向に前記往復移動機構を付勢する付勢部材と、前記光学部品を第１位置と第２位置の間で往復移動させる際に操作すべき操作部材とを具えている。
前記焦点切換え装置には、前記操作部材の操作に抵抗を与えるための抵抗付与機構が連繋し、該抵抗付与機構は、光学部品の第１位置から第２位置への移動過程でその逆方向の移動過程よりも大きな抵抗を操作部材の操作に付与する。
【０００６】
上記本発明のカメラ付き携帯電話機において、前記抵抗付与機構は、光学部品を第１位置から第２位置に向かう方向(以下、第１方向という)へ移動させる過程、即ち、光学部品を前記焦点切換え装置の付勢部材の付勢方向に移動させる過程では、大きな抵抗を操作部材の操作に付与する。
逆に、光学部品を第２位置から第１位置に向かう方向(以下、第２方向という)へ移動させる過程、即ち、光学部品を前記焦点切換え装置の付勢部材の付勢力に抗する方向に移動させる過程で、前記抵抗付与機構は、小さな抵抗を操作部材の操作に付与する。
【０００７】
上述の如く、抵抗付与機構により、操作部材の操作方向によって異なる大きさの抵抗が操作部材に付与されるので、操作部材を第１方向に移動させる過程でユーザが感じる負荷と第２方向に移動させる過程でユーザが感じる負荷との差は、従来に比べて小さなものとなる。
更に、第１方向の移動過程で前記抵抗付与機構が操作部材の操作に付与する抵抗(以下、第１抵抗力という)と、第２方向の移動過程で前記抵抗付与機構が操作部材の操作に付与する抵抗(以下、第２抵抗力という)の差が、前記付勢部材の付勢力に等しくなる様に、第１抵抗力と第２抵抗力とを調整することにより、ユーザが操作部材を第１方向に移動させる過程で感じる負荷と第２方向に移動させる過程で感じる負荷とを同等にすることが可能となる。
この結果、前記第１方向の操作感と第２方向の操作感とが同等となり、ユーザが違和感を感じることはない。
【０００８】
具体的構成において、前記抵抗付与機構はカム機構によって構成され、該カム機構は、前記光学部品を第１位置と第２位置の間で移動させるための操作部材の移動に伴ってカム曲線が変化するものである。
具体的には、前記光学部品を第１位置から第２位置へ移動させるための操作部材の移動に伴ってカム曲線が上昇し、前記光学部品を第２位置から第１位置へ移動させるための操作部材の移動に伴ってカム曲線が下降する。
【０００９】
該具体的構成によれば、光学部品の前記第１方向への移動過程では、前記カム機構のカム曲線が上昇しているので、操作部材を該カム曲線に沿って移動させるために必要な力、即ち第１抵抗力は大きなものとなる。
逆に、光学部品の前記第２方向への移動過程では、カム機構のカム曲線が下降しているので、操作部材を該カム曲線に沿って移動させるために必要な力、即ち第２抵抗力は小さなものとなる。
【００１０】
上述の如くカム機構のカム曲線を構成することにより、操作部材の操作方向によって異なる大きさの抵抗を操作部材に付与することが可能となるので、操作部材を第１方向に移動させる過程でユーザが感じる負荷と第２方向に移動させる過程でユーザが感じる負荷との差は、従来に比べて小さなものとなる。
更に、前記第１抵抗力と第２抵抗力の差が、前記付勢部材の付勢力に等しくなる様に、前記カム機構のカム曲線を調整することにより、ユーザが操作部材を第１方向に移動させる過程で感じる負荷と第２方向に移動させる過程で感じる負荷とを同等にすることが可能となる。
この結果、前記第１方向の操作感と第２方向の操作感とが同等となり、ユーザが違和感を感じることはない。
【００１１】
他の具体的構成において、前記カム機構は、前記光学部品を第１位置から第２位置へ移動させるための操作部材の移動に伴ってカム曲線が急な傾斜で上昇し、前記光学部品を第２位置から第１位置へ移動させるための操作部材の移動に伴ってカム曲線が緩やかな傾斜で上昇するものである。
更に具体的には、該カム機構は、前記焦点切換え装置の操作部材に形成したカムフォロワーと、該カムフォロワーに摺接するカム面とから構成され、該カム面は、第１平坦部(81)と、第２平坦部(83)と、第１平坦部(81)と第２平坦部(83)の間に形成された凸部(82)とを有し、該凸部(82)には、前記第１平坦部(81)から該凸部(82)の頂部に至る緩斜面部(84)と、該凸部(82)の頂部から前記第２平坦部(83)に至る急斜面部(85)とが形成されて、前記光学部品を第１位置から第２位置に移動させる過程で、前記カム機構のカムフォロワーは、前記第２平坦部(83)から第１平坦部(81)に向けてカム面を摺動して前記凸部(82)を乗り越え、前記光学部品を第２位置から第１位置に移動させる過程で、前記カム機構のカムフォロワーは、前記第１平坦部(81)から第２平坦部(83)に向けてカム面を摺動して前記凸部(82)を乗り越える。
【００１２】
該具体的構成によれば、光学部品の第１及び第２方向への移動過程で、焦点切換え装置の操作部材に形成したカムフォロワーは、抵抗付与機構を構成するカム機構のカム面に形成した凸部(82)を乗り越えて往復移動することになる。
前記第１方向の移動過程で、前記操作部材のカムフォロワーは、カム面の第２平坦部(83)から急斜面部(85)へと摺動する。カムフォロワーを急斜面部(85)に沿って移動させるため、前記第１抵抗力は大きなものとなる。その後、前記カムフォロワーは、凸部(82)の頂部へ至り緩斜面部(84)を経て第１平坦部(81)へと摺動して、凸部(82)を乗り越える。
逆に、前記第２方向の移動過程で、前記操作部材のカムフォロワーは、カム面の第１平坦部(81)から緩斜面部(84)へと摺動する。カムフォロワーを緩斜面部(84)に沿って移動させるため、前記第２抵抗力は小さなものとなる。その後、前記カムフォロワーは、凸部(82)の頂部へ至り急斜面部(85)を経て第２平坦部(83)へと摺動して、凸部(82)を乗り越える。
【００１３】
上述の如くカム機構のカム面を構成することにより、操作部材の操作方向によって異なる大きさの抵抗を操作部材に付与することが可能となるので、操作部材を第１方向に移動させる過程でユーザが感じる負荷と第２方向に移動させる過程でユーザが感じる負荷との差は、従来に比べて小さなものとなる。
更に、前記第１抵抗力と第２抵抗力の差が、前記付勢部材の付勢力に等しくなる様に、前記カム機構の緩斜面部(84)及び急斜面部(85)の傾斜角を設定することにより、ユーザが操作部材を第１方向に移動させる過程で感じる負荷と第２方向に移動させる過程で感じる負荷とを同等にすることが可能となる。
この結果、前記第１方向の操作感と第２方向の操作感とが同等となり、ユーザが違和感を感じることはない。
【００１４】
又、具体的構成において、前記カメラアセンブリ(13)は、前記筐体内に設置されて前記焦点切換え装置の操作部材をスライド可能に支持する支持部材を具え、前記抵抗付与機構を構成するカム機構は、前記焦点切換え装置の操作部材と前記支持部材との対向部に設けられている。
【００１５】
該具体的構成によれば、焦点切換え装置の操作部材は、支持部材との対向部に設けたカム機構から、スライド方向によって異なる大きさの抵抗を付与されることになる。
【００１６】
更に具体的な構成において、前記カメラアセンブリ(13)は、撮像素子を具えたカメラ本体(38)と、光学部品を保持するレンズホルダ(31)と、カメラ本体(38)とレンズホルダ(31)との間で回動可能に挟持されて両者の間隔を規定する調整リング(61)と、該調整リング(61)に向けてレンズホルダ(31)を付勢するコイルバネ(60)と、前記調整リング(61)に連結した切換レバー(５)とを具え、前記調整リング(61)と前記レンズホルダ(31)との対向部にはカム機構が設けられ、該カム機構によって前記焦点切換え装置の往復移動機構が構成され、前記コイルバネ(60)によって前記焦点切換え装置の付勢部材が構成され、前記切換レバー(５)によって前記焦点切換え装置の操作部材が構成される。
【００１７】
該具体的構成によれば、ユーザが切換レバー(５)を操作すると、前記焦点切換え装置の調整リング(61)が、レンズホルダ(31)との対向部に設けられたカム機構のカム曲線を摺動しながら回動し、これに伴って、レンズホルダ(31)が前記第１方向或いは第２方向に移動することになる。
【発明の効果】
【００１８】
本発明のカメラ付き携帯電子機器によれば、レンズを標準位置から接写位置に移動させる場合の操作感と、レンズを接写位置から標準位置に移動させる場合の操作感とが同等となるので、ユーザが違和感を感じることはない。
【発明を実施するための最良の形態】
【００１９】
以下、本発明をカメラ付き携帯電話機に実施した形態につき、図面に沿って具体的に説明する。
本発明に係るカメラ付き携帯電話機は、図１及び図２に示す如く、第１筐体(１)と第２筐体(２)とが互いに開閉可能に連結され、第１筐体(１)の背面には、サブディスプレイ(11)と透明窓(15)とが配備され、該透明窓(15)の内側には、後述するカメラアセンブリ(13)が配備されている。一方、第１筐体(１)の表面には、メインディスプレイ(図示省略)が配備されている。又、第２筐体(２)の表面には複数の操作キー(図示省略)が配備されている。
更に、第１筐体(１)の背面には、透明窓(15)に隣接して開口(14)が設けられており、該開口(14)から、カメラアセンブリ(13)のレンズ位置を標準モードと接写モードとの間で切り換えるための切換レバー(５)の操作部(52)が露出している。
【００２０】
図３に示す如く、第１筐体(１)には、サブディスプレイ(11)及びメインディスプレイ(図示省略)を保持するＬＣＤアセンブリ(12)と、カメラアセンブリ(13)とが内蔵されている。
【００２１】
図４及び図５に示す如く、カメラアセンブリ(13)は、カメラモジュール(３)と、前記切換レバー(５)と、カメラモジュール(３)を保持すると共に切換レバー(５)をスライド可能に支持するカメラホルダ(４)とから構成され、該カメラホルダ(４)を介して前記第１筐体(１)に取り付けられている。
更に、カメラホルダ(４)と切換レバー(５)との対向部には、後述する第２カム機構(８)が設けられている。
【００２２】
図６に示す如く、カメラモジュール(３)は、ＣＣＤ(図示省略)を内蔵したカメラ本体(38)と、該カメラ本体(38)上に配置されたレンズ(30)と、該レンズ(30)を保持する略円筒状のレンズホルダ(31)と、該レンズホルダ(31)の外周を覆う枠体(32)とから構成される。カメラ本体(38)は、弾性パッド(37)と、該弾性パッド(37)上に載置されてＣＣＤ及び該ＣＣＤを駆動するための回路素子が実装された回路基板(33)と、該回路基板(33)上に設置されたカバー部(75)とから構成され、回路基板(33)上の複数の電極(34)〜(34)には、図５に示す如く、フラットケーブル(35)が接続されており、該フラットケーブル(35)の先端に配備されたコネクタ(36)が、前記第１筐体(１)内のメイン基板に接続されている。
【００２３】
図７に示す如く、カメラ本体(38)のカバー部(75)の表面には、開口(73)が設けられており、該開口(73)から、回路基板(33)上に実装されたＣＣＤ(39)が露出している。更に、カバー部(75)の表面には、枠体(32)と係合するフック部(70)と、環状のリブ部(71)とが突設されると共に、該リブ部(71)に嵌合してレンズホルダ(31)とカメラ本体(38)との距離を調整すべき環状の調整リング(61)が設置されている。
調整リング(61)の外周部には、前記切換レバー(５)に連結されるべき連結部(64)が突設されており、該連結部(64)は、図６に示す如く、カバー部(75)の側面に開設した開口(74)からカメラ本体(38)の外部に突出している。調整リング(61)は、連結部(64)が開口(74)の内周面の一端に当接した第１回動位置と、他端に当接した第２回動位置との間で回動可能となっている。
【００２４】
図７に示す調整リング(61)上には、レンズホルダ(31)が設置され、該レンズホルダ(31)の外周面には、環状のフランジ部(72)が突設され、該フランジ部(72)上にコイルバネ(60)が設置されている。該コイルバネ(60)は、フランジ部(72)の表面と、カメラ本体(38)のフック部(70)と係合した枠体(32)の内面との間で圧縮された状態に保持されており、コイルバネ(60)の弾性復帰力により、レンズホルダ(31)は、調整リング(61)に向けて付勢された状態で保持されている。
更に、調整リング(61)とレンズホルダ(31)のフランジ部(72)との対向部には、第１カム機構(６)が設けられている。
【００２５】
図８(ａ)(ｂ)に示す如く、第１カム機構(６)は、調整リング(61)の表面に形成した第１カムフォロワー(62)と、レンズホルダ(31)のフランジ部(72)の裏面に形成した第１カム面(66)とから構成される。
第１カムフォロワー(62)は、調整リング(61)の表面からレンズホルダ(31)のフランジ部(72)の裏面に向けて突設されており、該第１カムフォロワー(62)の頂部には、平坦面(63)が形成されている。図９に示す如く、第１カムフォロワー(62)は、調整リング(61)の表面に１２０度の間隔で３箇所に形成されており、例えば、各平坦面(63)が占める角度θ１は、２５度に設定されている。
【００２６】
一方、図８(ａ)(ｂ)に示す如く、レンズホルダ(31)のフランジ部(72)の裏面に形成した第１カム機構(６)の第１カム面(66)は、第１平坦面(67)と、該第１平坦面(67)から距離Ｇだけ調整リング(61)の表面に向けて突出した第２平坦面(68)と、第１平坦面(67)と第２平坦面(68)との間に形成された傾斜面(69)とを有している。図１０に示す如く、第１平坦面(67)、第２平坦面(68)及び傾斜面(69)はそれぞれ、フランジ部(72)の裏面に１２０度の間隔で３箇所に形成されており、例えば、第１平坦面(67)が占める角度θ３は３０度、第２平坦面(68)が占める角度θ４は７５度、傾斜面(69)が占める角度θ５は１０度に設定されている。又、図７に示すレンズホルダ(31)の取り付け状態において、基準線Ｌ１に対する傾斜面(69)の回転角θ６は、２０度に設定されている。
【００２７】
図８(ａ)は、レンズホルダ(31)がカメラ本体(38)のＣＣＤ(39)に最も接近した状態、即ち、標準モードが設定された状態を示している。該標準モードにおいて、調整リング(61)は、連結部(64)が前記カメラ本体(38)のカバー部(75)に開設された開口(74)の内周面の一端に当接した前記第１回動位置に位置決めされている。この状態において、図９に示す如く、調整リング(61)に突設された第１カムフォロワー(62)の平坦面(63)は、基準線Ｌ１に対して回転角θ２を為す位置で静止しており、回転角θ２は、例えば１７.５度に設定されている。
従って、図１０に示す第１カム機構(６)の第１カム面(66)との相対位置関係により、図８(ａ)に示す如く、第１カムフォロワー(62)の平坦面(63)が第１カム面(66)の第１平坦面(67)に当接し、レンズホルダ(31)は、カメラ本体(38)のＣＣＤ(39)に最も接近した位置に保持される。
一方、図８(ｂ)は、レンズホルダ(31)がカメラ本体(38)のＣＣＤ(39)から最も離間した状態、即ち、接写モードが設定された状態を示しており、この状態において、第１カムフォロワー(62)の平坦面(63)は、第１カム面(66)の第２平坦面(68)に当接しており、レンズホルダ(31)は、図８(ａ)に示す標準モードより距離Ｇ分カメラ本体(38)のＣＣＤ(39)から離間した位置に保持されることになる。
【００２８】
撮影モードを標準モードから接写モードに切り換える場合には、調整リング(61)を反時計方向に回転させる。これによって、調整リング(61)の第１カムフォロワー(62)は、前記コイルバネ(60)の押圧力に抗してレンズホルダ(31)を押し上げながら、第１カム面(66)を第１平坦面(67)から傾斜面(69)へと摺動し、第２平坦面(68)へ至る。その後、調整リング(61)の連結部(64)が、前記カメラ本体(38)のカバー部(75)に開設された開口(74)の内周面の他端に当接して、調整リング(61)は、前記第２回動位置に位置決めされ、接写モードへの切り換えが完了する。
【００２９】
逆に、撮影モードを接写モードから標準モードに切り換える場合には、調整リング(61)を時計方向に前記第１回動位置に至るまで回転させる。このとき、調整リング(61)の第１カムフォロワー(62)は、第１カム面(66)を第２平坦面(68)から傾斜面(69)を経て第１平坦面(67)へと摺動し、これに伴って、レンズホルダ(31)は、前記コイルバネ(60)の付勢力によって押し下げられる。
【００３０】
図１１に示す如く、カメラホルダ(４)は、前記カメラモジュール(３)が挿入されるべき開口部(41)と、前記切換レバー(５)を支持するレバー支持部(42)とを有している。カメラモジュール(３)は、カメラホルダ(４)の開口部(41)に下方から挿入され、図６に示すカメラ本体(38)のカバー部(75)の表面が、カメラホルダ(４)の裏面に当接して位置決めされる。
図１１に示すカメラホルダ(４)のレバー支持部(42)は、後述する切換レバー(５)のホルダ係合部(53)と係合するガイド溝(43)と、切換レバー(５)が摺動するガイドレール(44)とを有している。
図４及び図５に示した第２カム機構(８)は、カメラホルダ(４)のガイドレール(44)と切換レバー(５)との対向部に設けられており、図１１に示す如く、ガイドレール(44)の表面には、前記第２カム機構(８)のカム面を構成する第２カム面(80)が形成されている。該第２カム面(80)は、第１平坦部(81)と、第２平坦部(83)と、第１平坦部(81)と第２平坦部(83)の間に形成された凸部(82)とを有し、該凸部(82)には、第１平坦部(81)から凸部(82)の頂部に至る緩斜面部(84)と、凸部(82)の頂部から第２平坦部(83)に至る急斜面部(85)とが形成されている。
ここで、第２カム面(80)の緩斜面部(84)及び急斜面部(85)の傾斜角は、切換レバー(５)が第２平坦部(83)から第１平坦部(81)に向けて第２カム面(80)を摺動して前記凸部(82)を乗り越える際の摺動抵抗と、第１平坦部(81)から第２平坦部(83)に向けて第２カム面(80)を摺動して前記凸部(82)を乗り越える際の摺動抵抗との差が、前記コイルバネ(60)の付勢力に等しくなる様に調整されている。
【００３１】
図１２及び図１３に示す如く、切換レバー(５)は、レバー本体(51)と、該レバー本体(51)の表面に突設されて図２に示す如く第１筐体(１)の開口(14)から露出する操作部(52)とを有している。図１３に示すレバー本体(51)の裏面には、略Ｔ字状のホルダ係合部(53)と突片(55)とが突設されると共に、前記カメラモジュール(３)から突出した調整リング(61)の連結部(64)が嵌まる凹部(56)が形成されている。
更に、レバー本体(51)の裏面には、前記カメラホルダ(４)のガイドレール(44)の表面に形成された第２カム面(80)との対向部に、円弧面状の第２カムフォロワー(86)が突設され、該第２カムフォロワー(86)とガイドレール(44)の表面に形成された第２カム面(80)とから前記第２カム機構(８)が構成される。
【００３２】
図１４に示す如く、切換レバー(５)は、該切換レバー(５)の裏面に突設されたホルダ係合部(53)をカメラホルダ(４)のガイド溝(43)に嵌合してカメラホルダ(４)に取り付けられる。この状態において、切換レバー(５)のレバー本体(51)の裏面は、カメラホルダ(４)のガイドレール(54)の表面に摺接し、切換レバー(５)のホルダ係合部(53)の頭部は、ガイドレール(54)の裏面に摺接している。更に、切換レバー(５)のホルダ係合部(53)と突片(55)との間にカメラホルダ(４)のガイドレール(54)を挟み込んでいる。この結果、切換レバー(５)は、カメラホルダ(４)のガイド溝(42)に沿う方向にスライド可能にカメラホルダ(４)に支持されることになる。
【００３３】
図１５及び図１６は、撮影モードを標準モードに設定した状態を示しており、この状態において、切換レバー(５)は、図１５に示す標準モード位置に位置しており、これに伴って、前記カメラモジュール(３)の調整リング(61)は、前記第１回動位置に位置している。又、図１６に示す如く、第２カムフォロワー(86)は、第２カム面(80)の凸部(82)の緩斜面部(84)に摺接している。
【００３４】
一方、図１７及び図１８は、撮影モードを接写モードに設定した状態を示しており、この状態において、切換レバー(５)は図１７に示す如く接写モード位置に位置しており、これに伴って、前記カメラモジュール(３)の調整リング(61)は、前記第２回動位置に位置している。又、図１８に示す如く、第２カムフォロワー(86)は、第２カム面(80)の第２平坦部(83)上に位置している。
従って、撮影モードを標準モードと接写モードとの間で切り換える過程で、第２カムフォロワー(86)は、第２カム面(80)の凸部(82)を乗り越えることになり、このとき、カメラホルダ(４)のガイドレール(44)及びその周辺部が僅かに弾性変形し、これによって生じる弾性力により、第２カムフォロワー(86)は第２カム面(80)に圧接されることになる。
【００３５】
撮影モードを標準モードから接写モードに切り換える場合には、切換レバー(５)の操作部(52)に指を掛けて、該切換レバー(５)を図１５に示す標準モード位置から図１７に示す接写モード位置へ第１方向にスライドさせる。切換レバー(５)を第１方向にスライドさせる過程で、図１６に示す第２カムフォロワー(86)は、緩斜面部(84)から凸部(82)の頂部を経て急斜面部(85)へと第２カム面(80)を摺動する。第２カムフォロワー(86)は緩斜面部(84)を摺動するため、前記切換レバー(５)の第１方向の移動に対する抗力は小さなものなる。
又、切換レバー(５)の第１方向のスライド操作に伴って、前記カメラモジュール(３)の調整リング(61)が、前記第１回動位置から第２回動位置に回動して、前記コイルバネ(60)の付勢力に抗してレンズホルダ(31)を押し上げる。
従って、標準モードから接写モードに切り換える過程で、切換レバー(５)の操作に対する負荷は、調整リング(61)がコイルバネ(60)の付勢力に抗してレンズホルダ(31)を押し上げることにより生じる第１カム機構(６)の大きな抗力と、前記切換レバー(５)の第１方向の移動に対する小さな抗力との合力となり、ユーザは、該合力を負荷(操作感)として感じることになる。
【００３６】
逆に、撮影モードを接写モードから標準モードに切り換える場合には、切換レバー(５)の操作部(52)に指を掛けて、該切換レバー(５)を図１７に示す接写モード位置から図１５に示す標準モード位置へ第２方向にスライドさせる。切換レバー(５)を第２方向にスライドさせる過程で、図１８に示す第２カムフォロワー(86)は、急斜面部(85)から凸部(82)の頂部を経て緩斜面部(84)へと第２カム面(80)を摺動する。第２カムフォロワー(86)は急斜面部(85)を摺動するため、前記切換レバー(５)の第２方向の移動に対する抗力は大きなものなる。
又、切換レバー(５)の第２方向のスライド操作に伴って、前記カメラモジュール(３)の調整リング(61)が前記第２回動位置から第１回動位置に回動し、レンズホルダ(31)は、前記コイルバネ(60)の付勢力によって押し下げられる。
従って、接写モードから標準モードに切り換える過程で、切換レバー(５)の操作に対する負荷は、第１カム機構(６)の微小な摺動抵抗と、前記切換レバー(５)の第２方向の移動に対する大きな抗力との合力となり、ユーザは、該合力を負荷(操作感)として感じることになる。
【００３７】
ここで、上述の如く、第２カム面(80)の緩斜面部(84)及び急斜面部(85)の傾斜角は、第１方向への移動過程で切換レバー(５)に付与される抗力と第２方向への移動過程で切換レバー(５)に付与される抗力との差が、前記コイルバネ(60)の付勢力に等しくなる様に調整されているので、撮影モードを標準モードから接写モードに切り換える過程でユーザが感じる操作感と、接写モードから標準モードに切り換える過程でユーザが感じる操作感とを同一にすることが出来る。従って、ユーザが違和感を感じることはない。
【００３８】
尚、本発明の各部構成は上記実施の形態に限らず、特許請求の範囲に記載の技術的範囲内で種々の変形が可能である。例えば本実施例においては、第２カム機構(８)によって抵抗付与機構を構成したが、抵抗付与機構はカム機構に限らず、操作部材の操作にその方向によって異なる大きさの抵抗を付与することが可能な周知の種々の機構を採用することが可能である。
更に、第２カム機構(８)の第２カム面(80)の形状は上述した形状に限らず、例えば、前記切換レバー(５)の第１方向の移動に伴ってカム曲線が下降し、第２方向の移動に伴ってカム曲線が上昇するカム面の形状を採用することも可能である。
【図面の簡単な説明】
【００３９】
【図１】本発明に係るカメラ付き携帯電話機の閉じた状態を示す斜視図である。
【図２】図１のＡ部を拡大して示す斜視図である。
【図３】第１筐体の内部を示す斜視図である。
【図４】カメラアセンブリを表面側から見た斜視図である。
【図５】カメラアセンブリを裏面側から見た斜視図である。
【図６】カメラモジュールの斜視図である。
【図７】カメラモジュールの断面図である。
【図８】第１カム機構を示す断面図である。
【図９】調整リングの平面図である。
【図１０】レンズホルダのフランジ部を示す平面図である。
【図１１】カメラホルダの斜視図である。
【図１２】切換レバーを表面側から見た斜視図である。
【図１３】切換レバーを裏面側から見た斜視図である。
【図１４】カメラホルダ及び切換レバーの取り付け状態を示す分解斜視図である。
【図１５】標準モードにおけるカメラアセンブリの状態を示す平面図である。
【図１６】図１５のＣ−Ｃ線に沿う断面図である。
【図１７】接写モードにおけるカメラアセンブリの状態を示す平面図である。
【図１８】図１７のＤ−Ｄ線に沿う断面図である。
【符号の説明】
【００４０】
(１)  第１筐体
(13)  カメラアセンブリ
(２)  第２筐体
(３)  カメラモジュール
(31)  レンズホルダ
(33)  回路基板
(38)  カメラ本体
(39)  ＣＣＤ
(４)  カメラホルダ
(42)  レバー支持部
(５)  切換レバー
(53)  ホルダ係合部
(55)  突片
(６)  第１カム機構
(60)  コイルバネ
(61)  調整リング
(62)  第１カムフォロワー
(66)  第１カム面
(８)  第２カム機構
(80)  第２カム面
(81)  第１平坦部
(82)  第２平坦部
(83)  凸部
(84)  緩斜面部
(85)  急斜面部
(86)  第２カムフォロワー
【図１】
2006133450.tif 000003
【図２】
2006133450.tif 000004
【図３】
2006133450.tif 000005
【図４】
2006133450.tif 000006
【図５】
2006133450.tif 000007
【図６】
2006133450.tif 000008
【図７】
2006133450.tif 000009
【図８】
2006133450.tif 000010
【図９】
2006133450.tif 000011
【図１０】
2006133450.tif 000012
【図１１】
2006133450.tif 000013
【図１２】
2006133450.tif 000014
【図１３】
2006133450.tif 000015
【図１４】
2006133450.tif 000016
【図１５】
2006133450.tif 000017
【図１６】
2006133450.tif 000018
【図１７】
2006133450.tif 000019
【図１８】
2006133450.tif 000020